(57)【要約】【課題】季節を問わず安定的に動作可能であり、耐久性に富むとともに、保守・管理の容易な動物用脱出施設を提供する。【解決手段】立設された左右一対の支柱１，１を有し、敷地外と敷地側とを仕切るフェンスの要所に設けられ、該支柱１の長さを有する芯棒２と、芯棒２に挿通することにより回動可能に取り付けられ、敷地外から敷地側へは開放しない一方、敷地側から敷地外へ開放可能なフォーク状部３および３’と、左右一対の支柱１，１間にわたって設置される平板部２８を有する面状部であるパネル部４と、を備え、フォーク状部３および３’は、芯棒２に回動可能に挿通する柱状部７と、該柱状部７に固定されるフォーク６と、を備え、パネル部４は地面とフォーク状部３’の間に設置される。【選択図】図１
0003204929.tif 000002
【実用新案登録請求の範囲】
【請求項１】
立設された左右一対の支柱を有し、敷地外と敷地側とを仕切るフェンスの要所に設けられる動物用脱出施設において、
前記支柱は、
前記支柱の長さを有する芯棒と、
前記芯棒に挿通することにより回動可能に取り付けられ、敷地外から敷地側へは開放しない一方、敷地側から敷地外へ開放可能なフォーク状部と、
前記左右一対の支柱間にわたって設置される面状部と、を備え、
前記フォーク状部は、前記芯棒に回動可能に挿通する柱状部と、該柱状部に固定されるフォークと、を備え、
前記面状部は地面と前記フォーク状部の間に設置されることを特徴とする動物用脱出施設。
【請求項２】
前記支柱が複数段の前記フォーク状部を備え、
それぞれの前記フォーク状部は独立して開閉動作が可能であり、
上下に隣り合う前記フォーク状部同士が第１の間隔を有する第１のフォーク状部と、上下に隣り合う前記フォーク状部同士が第２の間隔を有する第２のフォーク状部と、が存在し、
前記第１の間隔が前記第２の間隔よりも広く、第１のフォーク状部は第２のフォーク状部よりも上部に取り付けられることを特徴とする請求項１に記載の動物用脱出施設。
【請求項３】
前記第１のフォーク状部は、該第１のフォーク状部を閉位置に復帰させる第１の弾性部材を有し、
前記第２のフォーク状部は、該第２のフォーク状部を閉位置に復帰させる第２の弾性部材を有し、
前記第１の弾性部材は、前記第２の弾性部材よりも弾性力が強いことを特徴とする請求項２に記載の動物用脱出施設。
【請求項４】
前記フォークは前記柱状部の下部に固定され、
前記第１および第２の弾性部材は、前記柱状部の、前記フォークの固定位置付近の高さに取り付けられることを特徴とする請求項３に記載の動物用脱出施設。
【請求項５】
前記左右一対の支柱のそれぞれに前記フォーク状部を備え、
前記フォークは、上下一対の横杆部と、該横杆部の先端を連結した連結部と、を有し、
前記横杆部の基端部を縦に並べて前記柱状部に固定することを特徴とする請求項１〜４のいずれか１項に記載の動物用脱出施設。
【請求項６】
前記左右一対の支柱の一方に前記フォーク状部を備え、
前記フォークは前記左右一対の支柱間にわたる長さを有し、
前記左右一対の支柱の他方に、前記フォークと接触するための受け部を設けたことを特徴とする請求項１〜４のいずれか１項に記載の動物用脱出施設。
【請求項７】
前記面状部は、敷地外と敷地側とを仕切る平板部と、該平板部の左右両端に連結して前記支柱に固定する平板固定用柱状部と、を備え、
前記平板固定用柱状部は、前記芯棒に挿通して前記平板部を固定することを特徴とする請求項１〜６のいずれか１項に記載の動物用脱出施設。
【考案の詳細な説明】
【技術分野】
【０００１】
本考案は動物用脱出施設に関し、特に道路や線路沿いに設置されており鹿などの動物の進入を防止する鹿侵入防止柵などの進入防止施設から、鹿などの動物を安全に柵外へ脱出させるためのワンウェイゲートに関する。
【背景技術】
【０００２】
近年、特に北海道地方ではエゾシカの生息数が増加し、道路や鉄道施設における衝突事故（ロードキル、レールキル）の増加など、深刻な問題が生じている。エゾシカのような大型動物との衝突は運転手にとっても危険であり、自然保護と交通安全の両面から対策が求められている。
【０００３】
このような衝突事故を防止するための対策の一環として、道路や鉄道施設に沿って鹿侵入防止柵を設置してエゾシカの道路横断を防止することで、衝突事故防止において一定の成果を上げてきた。
【０００４】
しかしながら、特に鹿侵入防止柵の起終点付近から、エゾシカが侵入することがあるため、侵入した場合でもエゾシカが速やかに道路外へ脱出できるように、動物用脱出装置も鹿侵入防止柵と併せて設置されている。このような動物用脱出装置は、道路や鉄道施設に沿って設置されている鹿侵入防止柵の要所に設置される。
【０００５】
従来、このような動物用脱出装置としてワンウェイゲートやアウトジャンプが知られており、ワンウェイゲートに関して図１０および図１１に示される施設が提案されている。図１０に示される動物用脱出施設４００は、フェンス３００の一部に、所定の間隔を隔てて、左右の支柱４０３Ａ，４０３Ｂを立設するとともに、これらの支柱４０３Ａ，４０３Ｂに、扉枠４０２Ａ，４０２Ｂを設けて構成されている。これらの扉枠４０２Ａ，４０２Ｂには、バネなどの弾性体を介しフォーク状部４０４，４０４・・が回動可能に取り付けられており、道路や鉄道施設の敷地内に侵入したエゾシカが、フォーク状部４０４，４０４・・・を道路敷地外側へ押圧することにより開放するようになっており、誤って道路敷地内に侵入したエゾシカなどの動物を、道路敷地外へ退避させることを目的としている。
【０００６】
具体的には図１１に示されるように、動物用脱出施設４００は、３本程度の鋼棒４０６，４０６，４０６を一組として形成された左右のフォーク状部４０４，４０４が道路敷地外側の一方向に回動可能であり、エゾシカが通り抜けた後はバネの弾性力によってフォーク状部４０４，４０４が元の状態に復帰し、道路敷地外から再び道路敷地内へ侵入できないようになっている。
【先行技術文献】
【特許文献】
【０００７】
【特許文献１】実用新案登録第３１６２８１３号公報
【考案の開示】
【考案が解決しようとする課題】
【０００８】
しかしながら、図１０および図１１に示される動物用脱出施設では、積雪や下草や蔓植物等によって、最下方のフォーク４０６の開放動作が妨げられる場合、該フォーク４０６の上方２つのフォーク４０６まで開放動作ができなくなり、ワンウェイゲートが円滑に機能せず動物類が敷地外へ脱出する妨げとなる虞があった。また、３本程度の鋼棒４０６，４０６，４０６を一組として形成しているため、鋼棒４０６を１本でも破損するとフォーク状部４０４全体を交換しなければならず、保守や管理に難があった。そして、ばねを使用した構造が複雑になってしまい、コストが掛かってしまっていた。
【０００９】
上記問題点を解決するものとして、特許文献１の動物用脱出施設が開示されている。同動物用脱出施設はフェンスの内側に侵入したエゾシカを安全にフェンスの外側へ脱出させるワンウェイゲートで、左右一対の支柱に道路敷地外側から、道路敷地内側へは開放しない一方、逆に道路敷地内側から道路敷地外側へ開放可能なフォーク状部が取り付けられている。
【００１０】
これらのフォーク状部を構成する各フォークは、独立して開閉動作が可能であり、各フォークは上方向、下方向、開方向、閉方向のうち少なくとも何れかの方向、或いはこれらのうち複合した方向への動作を許容するように構成されている。同考案によれば、降雪を伴う冬場でも安定的に動作可能であり、動物の道路敷地外側への脱出を妨げることがなく、且つ耐久性に富むといった長所を有している。
【００１１】
しかしながら、特許文献１記載の動物用脱出施設では、ねじ込み引張ばねの弾性力によりフォークの上下方向の先端位置が決定されるため、降雪によりフォークに雪が付着した場合やねじ込み引張ばねの弾性力が弱くなった場合、下草や蔓植物等がフォークに絡まった場合等に、フォークの先端が下がってしまい、左右のフォークの先端間の隙間が開きすぎてワンウェイゲートが円滑に機能しない虞があった。特に、下方の左右のフォークの先端間の隙間が開きすぎると、小動物の侵入口となってしまう虞があった。また部品や可動部が多く、ばねを使用した構造が複雑になってしまい、やはり保守や管理に難があり、またコストが掛かってしまっていた。
【００１２】
そこで、本考案は、上記問題点を解決するものであって、季節を問わず安定的に動作可能であり、動物の道路敷地外への脱出を妨げることのない動物用脱出施設を提供することを目的とする。また、耐久性に富むとともに構造がシンプルであり、保守・管理の容易な動物用脱出施設を提供することを目的とする。
【課題を解決するための手段】
【００１３】
請求項１の考案は、立設された左右一対の支柱を有し、敷地外と敷地側とを仕切るフェンスの要所に設けられる動物用脱出施設において、前記支柱は、前記支柱の長さを有する芯棒と、前記芯棒に挿通することにより回動可能に取り付けられ、敷地外から敷地側へは開放しない一方、敷地側から敷地外へ開放可能なフォーク状部と、前記左右一対の支柱間にわたって設置される面状部と、を備え、前記フォーク状部は、前記芯棒に回動可能に挿通する柱状部と、該柱状部に固定されるフォークと、を備え、前記面状部は地面と前記フォーク状部の間に設置されることを特徴とする。
【００１４】
請求項２の考案は、前記支柱が複数段の前記フォーク状部を備え、それぞれの前記フォーク状部は独立して開閉動作が可能であり、上下に隣り合う前記フォーク状部同士が第１の間隔を有する第１のフォーク状部と、上下に隣り合う前記フォーク状部同士が第２の間隔を有する第２のフォーク状部と、が存在し、前記第１の間隔が前記第２の間隔よりも広く、第１のフォーク状部は第２のフォーク状部よりも上部に取り付けられることを特徴とする。
【００１５】
請求項３の考案は、前記第１のフォーク状部は、該第１のフォーク状部を閉位置に復帰させる第１の弾性部材を有し、前記第２のフォーク状部は、該第２のフォーク状部を閉位置に復帰させる第２の弾性部材を有し、前記第１の弾性部材は、前記第２の弾性部材よりも弾性力が強いことを特徴とする。
【００１６】
請求項４の考案は、前記フォークは前記柱状部の下部に固定され、前記第１および第２の弾性部材は、前記柱状部の、前記フォークの固定位置付近の高さに取り付けられることを特徴とする。
【００１７】
請求項５の考案は、前記左右一対の支柱のそれぞれに前記フォーク状部を備え、前記フォークは、上下一対の横杆部と、該横杆部の先端を連結した連結部と、を有し、前記横杆部の基端部を縦に並べて前記柱状部に固定することを特徴とする。
【００１８】
請求項６の考案は、前記左右一対の支柱の一方に前記フォーク状部を備え、前記フォークは前記左右一対の支柱間にわたる長さを有し、前記左右一対の支柱の他方に、前記フォークと接触するための受け部を設けたことを特徴とする。
【００１９】
請求項７の考案は、前記面状部は、敷地外と敷地側とを仕切る平板部と、該平板部の左右両端に連結して前記支柱に固定する平板固定用柱状部と、を備え、前記平板固定用柱状部は、前記芯棒に挿通して前記平板部を固定することを特徴とする
【考案の効果】
【００２０】
請求項１の考案によれば、例えば降雪時にも下方のフォークまで積雪が達する心配が少なく、また草などが下方のフォークに絡まってフォーク状部の回動動作を阻害する心配も少なくなるため、季節を問わず安定的に動物用脱出施設の動作が可能になり、動物類が敷地外へ脱出することを妨げず、また小動物の侵入口となってしまう虞がない。また動物用脱出施設の構成部品が少なく構造がシンプルであり、可動部もフォーク状部の柱状部が回動するのみであるため、動物用脱出施設の保守や管理が容易になる。そして柱状部にフォークを固定するため、フォーク状部の耐久性を増加させ、エゾシカなどの動物の脱出時や積雪時にフォーク状部が破損する可能性を低減させる。
【００２１】
請求項２の考案によれば、例えば下方のフォークの開閉動作が阻害されても、その他のフォークの開閉動作が阻害されないため、季節を問わず安定的に動物用脱出施設の動作が可能になり、動物類が敷地外へ脱出することを妨げない。また、下の第２のフォーク状部のフォークを例えば子供のエゾシカの頭部の高さに設定し、上の第１のフォーク状部のフォークを例えば成獣のエゾシカの頭部の高さに設定することが可能なので、より設置環境に適応した動物用脱出施設を構成できる。
【００２２】
請求項３の考案によれば、子供のエゾシカが敷地外に脱出する時は弱い力でもフォーク状部の開放動作が可能で、閉位置に復帰する時の速度を緩くするように構成でき、また成獣のエゾシカが敷地外に脱出する時はフォーク状部を速やかに閉位置に復帰するように構成できる。
【００２３】
請求項４の考案によれば、動物用脱出施設の組立時の作業が容易になる。
【００２４】
請求項５の考案によれば、フォークの耐久性を向上させ、エゾシカなどの動物の脱出時や積雪時にフォークが変形、破損する可能性を低減させることができ、動物用脱出施設の保守や管理が容易になる。
【００２５】
請求項６の考案によれば、一方の支柱のフォーク状部のみが回動動作を行なうので、構造の簡素化がさらに図れ、動物用脱出施設の製作や組立、保守、管理が容易になる。
【００２６】
請求項７の考案によれば、動物用脱出施設の製作や組立、保守、管理が容易になる。
【図面の簡単な説明】
【００２７】
【図１】本考案の実施例１を示す動物用脱出施設の正面図である。
【図２】同上、動物用脱出施設の平面図である。
【図３】同上、動物用脱出施設のフォーク状部の構造を示した正面図である。
【図４】同上、動物用脱出施設のフォーク状部の斜視図である。
【図５】同上、動物用脱出施設のフォーク状部の底面図である。
【図６】同上、動物用脱出施設のフォーク状部の断面図である。
【図７】同上、動物用脱出施設のフォーク状部の構造を示した分解斜視図である。
【図８】本考案の実施例２を示す動物用脱出施設の正面図である。
【図９】同上、動物用脱出施設の芯棒の要部の正面図である。
【図１０】従来の動物用脱出施設の概略斜視図である。
【図１１】同上、動物用脱出施設のフォーク状部の斜視図である。
【考案を実施するための形態】
【００２８】
以下、実施例を示した図面を参照しつつ、本考案の実施の形態を説明する。
【実施例１】
【００２９】
以下、本発明の実施例１における動物用脱出施設について、図１〜図７を用いて詳述する。動物用脱出施設であるワンウェイゲート１００は、道路や鉄道施設に沿って設置される金網製などのフェンス３００，３００の要所に設置され、道路や鉄道施設の敷地内に侵入したエゾシカなどの動物を敷地外に誘導し、退避させることで衝突事故などを未然に防止するために設置されるものである。なお、フェンス３００，３００は敷地外と敷地側とを仕切るものであれば良く、金網などの柵に限られずにコンクリートなどの壁なども含まれる。
【００３０】
図１に示されるように、本実施形態のワンウェイゲート１００は、主として左右に立設された支柱１，１の軸となる芯棒２，２と、フォーク状部３，３・・・，３’，３’・・・と、パネル部４と、を備えて構成されている。芯棒２は、例えば鋼管などから作成され、支柱１と同程度の長さを有する。芯棒２の設置は、まずアンカーパイプ５を埋設し、芯棒２を該アンカーパイプ５に挿入することにより立設した状態で固定される。アンカーパイプ５と芯棒２との固定方法はここでは説明しない。左右の芯棒２，２は、成獣のエゾシカなどの動物が楽に通過できる位の高さや間隔が必要であり、例えば立設した状態で高さが２１００ｍｍ程度、間隔が１５００ｍｍ程度に設定される。
【００３１】
フォーク状部３および３’は、フォーク６と、断面円形の芯棒２，２に回動可能に挿通される柱状部７と、を備える。図３に示されるように、柱状部７は、本体であるフランジ部８、フランジ形状のカバー部９、フランジ部８とカバー部９とを接続する際の緩衝部材となる当りゴム１０、柱状部７を回転方向に滑動させるスラストベアリング１１を備えて構成されている。また、フォーク状部３および３’は、道路や鉄道施設の敷地外側から敷地内側へは開放しない一方、逆に敷地内側から敷地外側へは開放可能に回動するように構成されている。
【００３２】
具体的には、図４に示されるように、フランジ部８は、上端に芯棒２を挿通させる挿通孔１２を有する平坦部１３、下端につば部１４を備える。また図３に示されるように、カバー部９の内径はフランジ部８の外径よりも大きく、フランジ部８の外周にカバー部９の内周が接触しない程度に形成されるのが好ましい。カバー部９の高さはスラストベアリング１１の高さ（厚さ）よりも高く形成されており、そして図７に示されるように、上端には、つば部１４と同程度の外径と、芯棒２を挿通させる挿通孔１５と、を有する蓋部１６を備える。そして、当りゴム１０は、フランジ部８のつば部１４やカバー部９の蓋部１６と同程度の外径を有することが望ましい。また、当りゴム１０、つば部１４および蓋部１６は、同様の場所に連結用のボルト孔を有し、ボルトおよびナットなどで連結できるように構成されている。
【００３３】
また図５および図６に示されるように、フランジ部８は、内部に引張バネ１７と、引張バネ１７の一端をフランジ部８に固定するボルト１８及びナット１９と、ボルト１８を挿通させるボルト孔２０と、逆回転止２１を有している。この時、図３に示されるように、ボルト孔２０の高さは、フォーク６の基端部２２，２２の間付近が好ましく、また、逆回転止２１の高さはフランジ部８の下端付近が好ましい。
【００３４】
そして、引張バネ１７の他端は、芯棒２に形成された貫通孔２３に回転止ボルト２４を挿通することにより固定される。また、フォーク状部３または３’が閉方向に一定量回転し、閉位置に復帰した時に当該回転止ボルト２４の先端部が逆回転止２１に干渉するように、貫通孔２３を貫通し当該回転止ボルト２４の頭部とは反対側に突出して構成され、ナット２５で固定される。これによって、平常時ではフォーク状部３および３’を図２で示される閉位置に復帰させることができるようになっている。また図６に示されるように、回転止ボルト２４の先端が逆回転止２１に干渉した状態で、フォーク６の延長線上に回転止ボルト２４が位置するように逆回転止２１の設置位置を調整すると、後述するように、芯棒２を固定する際に閉位置のフォーク６の角度が予想できるので、組立時間の節約になる。
【００３５】
フォーク６は丸鋼などから作成され、図３に示されるように、上下一対の横杆部２６，２６と、該横杆部２６，２６の先端を連結した連結部２７を有する構成となっており、例えばＵ字状，コ字状やＶ字状に形成される。また、フォーク６の基端部２２，２２が柱状部７の下部付近に縦に並べて固定され、柱状部７と一体に成形される。このように形成することによりフォーク６の耐久力が増加し、エゾシカなどの動物の脱出時や積雪時にフォーク６が変形、破損する可能性を低下させることができる。また、図２に示されるように、回転止ボルト２４の先端が逆回転止２１に干渉した状態であり、フォーク状部３および３’が閉位置の時、左右のフォーク６が上面視で敷地外に向かって山型に位置し、左右のフォーク６の連結部２７間の隙間が１００ｍｍ程度になるように構成されるのが好ましい。
【００３６】
また図１に示されるように、支柱１は複数段のフォーク状部３または３’を備える。具体的には、１本の芯棒２にフォーク状部３または３’は６つ挿通され、第１のフォーク状部たる上の３つのフォーク状部３はフォーク６同士の間隔が広く、第２のフォーク状部たる下の３つのフォーク状部３’はフォーク６同士の間隔が狭くなるように、それぞれの柱状部７の高さが設定されている。また平板部２８と最下部のフォーク６の間隔は、フォーク状部３’のフォーク６同士の間隔と併せるように、フォーク状部３およびフォーク状部３’間である、上から３本目と４本目のフォーク６の間隔はフォーク状部３のフォーク６同士の間隔と併せるように、それぞれの柱状部７の高さが設定されている。このようにすることで、フォーク状部３’のフォーク６が子供のエゾシカの頭部の高さに設定され、フォーク状部３のフォーク６が成獣のエゾシカの頭部の高さに設定される。なお、フォーク状部３’の引張バネ１７を弾性力の弱いバネにし、フォーク状部３の引張バネ１７を弾性力の強いバネにしても良い。
【００３７】
そして図１に示されるように、パネル部４は、平板部２８と、平板部２８の左右両側にあり、平板部２８を固定するパネル固定用柱状部２９，２９と、を備えて構成されている。平板部２８は、例えば鋼などの金属、コンクリートブロック、木材などで作成された板や金属、ナイロンなどで作成された網など、エゾシカなどの動物により破壊されないもので形成されるが、持ち運びや加工、メンテナンスの観点から鋼製の板が好ましい。平板部２８の高さは子供のエゾシカが跨げる程度、厚さは成獣のエゾシカなどの動物が蹴るなどしても変形しない程度のものが好ましく、例えば高さ３００ｍｍ、厚さが３．２ｍｍの鋼板が使用される。
【００３８】
パネル固定用柱状部２９は、例えば鋼管などから作成され、芯棒２に挿通される円柱部３０と、平板部２８と連結する連結部３１を有する。円柱部３０は上端に芯棒２を挿通させる挿通孔３２を有する平坦部３３を備え、芯棒２，２に挿通し、ボルトなどで連結部３１と平板部２８とを連結することにより、平板部２８を芯棒２，２に固定する。フォーク状部３’のフォーク６が子供のエゾシカの頭部の高さに設定されるように、パネル固定用柱状部２９，２９の高さが設定されるのが好ましく、また柱状部７と同程度の直径を有するように形成されるのが好ましい。なお、パネル固定用柱状部２９は、パネル部４ではなく芯棒２に一体形成するように構成してもよい。この場合、連結部３１の位置により芯棒２の角度を予想できるので、組立時間の節約になる。
【００３９】
次に、図７を参照しつつ、本実施形態のワンウェイゲート１００の組立方法を説明すると、上述したように、まずアンカーパイプ５を埋設し、芯棒２をアンカーパイプ５に挿入することにより芯棒２が固定される。この時、芯棒２が有する貫通孔２３を参照することにより芯棒２の角度が決定されることが好ましい。次に、パネル部４のパネル固定用柱状部２９を芯棒２に挿通し、連結部３１に平板部２８を連結する。そしてフォーク状部３’および３が取り付けられる。具体的には、スラストベアリング１１、カバー部９、当りゴム１０を順に芯棒２に挿通させ、その後、あらかじめボルト１８及びナット１９により引張バネ１７の一端をボルト孔２０に固定したフランジ部８を芯棒２に挿通させ、回転止ボルト２４により引張バネ１７の他端を貫通孔２３に固定する。この時、フォーク状部３または３’が開放方向に回動すると引張バネ１７が伸長するように、引張バネ１７が取り付けられる。また、この作業はフランジ部８を当りゴム１０やカバー部９と連結する前に行なうため、引張バネ１７を固定する貫通孔２３の高さはフランジ部８の下端付近に相当する位置が作業を容易にするために好ましく、したがって、回転止ボルト２４と干渉する逆回転止２１の高さはフランジ部８の下端付近が好ましい。このようにして、フォーク状部３および３’を全て取り付けた後、スラストベアリング１１およびカバー部９を順に取り付け、芯棒２の最上部にナットなどの固定手段３４を取り付けて組立完了となる。
【００４０】
以上のように、本実施形態の動物用脱出施設であるワンウェイゲート１００は、立設された左右一対の支柱１，１を有し、敷地外と敷地側とを仕切るフェンス３００，３００の要所に設けられ、該支柱１の長さを有する芯棒２と、芯棒２に挿通することにより回動可能に取り付けられ、敷地外から敷地側へは開放しない一方、敷地側から敷地外へ開放可能なフォーク状部３および３’と、左右一対の支柱１，１間にわたって設置される平板部２８を有する面状部であるパネル部４と、を備え、フォーク状部３および３’は、芯棒２に回動可能に挿通する柱状部７と、該柱状部７に固定されるフォーク６と、を備え、パネル部４は地面とフォーク状部３’の間に設置される構成となっている。
【００４１】
このように構成することで、例えば降雪時にも下方のフォーク６まで積雪が達する心配が少なく、また草などが下方のフォーク６に絡まってフォーク状部３’の回動動作を阻害する心配も少なくなるため、季節を問わず安定的にワンウェイゲート１００の動作が可能になり、動物類が敷地外へ脱出することを妨げず、また小動物の侵入口となってしまう虞がない。またワンウェイゲート１００の構成部品が少なく構造がシンプルであり、可動部もフォーク状部３および３’の柱状部７が回動するのみであるため、ワンウェイゲート１００の保守や管理が容易になる。そして柱状部７にフォーク６を固定するため、フォーク状部２の耐久性を増加させ、エゾシカなどの動物の脱出時や積雪時にフォーク状部３および３’が破損する可能性を低減させる。
【００４２】
また、本実施形態の動物用脱出施設であるワンウェイゲート１００は、支柱１が複数段のフォーク状部３および３’を備え、それぞれのフォーク状部３および３’は独立して開閉動作が可能であり、上下に隣り合うフォーク状部３同士の間隔が第１の間隔を有する第１のフォーク状部たる上のフォーク状部３と、上下に隣り合うフォーク状部３’同士の間隔が第２の間隔を有する第２のフォーク状部たる下のフォーク状部３’と、が存在し、第１の間隔が第２の間隔よりも広く構成され、フォーク状部３はフォーク状部３’よりも上部に取り付けられる。
【００４３】
このように構成することで、例えば最下方のフォーク６の開閉動作が阻害されても、その他のフォーク６の開閉動作が阻害されないため、季節を問わず安定的にワンウェイゲート１００の動作が可能になり、動物類が敷地外へ脱出することを妨げない。また、下のフォーク状部３’のフォーク６を例えば子供のエゾシカの頭部の高さに設定し、上のフォーク状部３のフォーク６を例えば成獣のエゾシカの頭部の高さに設定することが可能なので、より設置環境に適応したワンウェイゲート１００を構成できる。
【００４４】
また、本実施形態の動物用脱出施設であるワンウェイゲート１００は、フォーク状部３は、該フォーク状部３を閉位置に復帰させる第１の弾性部材である引張バネ１７を有し、フォーク状部３’は、該フォーク状部３’を閉位置に復帰させる第２の弾性部材である引張バネ１７を有し、第１の弾性部材の引張バネ１７は、第２の弾性部材の引張バネ１７よりも弾性力が強く構成されている。
【００４５】
このように構成することで、子供のエゾシカが敷地外に脱出する時は弱い力でもフォーク状部３’の開放動作が可能で、閉位置に復帰する時の速度を緩くするように構成でき、また成獣のエゾシカが敷地外に脱出する時はフォーク状部３を速やかに閉位置に復帰するように構成できる。
【００４６】
また、本実施形態の動物用脱出施設であるワンウェイゲート１００は、フォーク６は柱状部７の下部に固定され、第１および第２の弾性部材である引張バネ１７は、柱状部７の、フォーク６の固定位置付近である基端部２２，２２の固定位置付近の高さに取り付けられる。
【００４７】
このように構成することで、ワンウェイゲート１００の組立時の作業が容易になる。
【００４８】
また、本実施形態の動物用脱出施設であるワンウェイゲート１００は、左右一対の支柱１，１のそれぞれにフォーク状部３および３’を備え、フォーク６は、上下一対の横杆部２６，２６と、該横杆部２６，２６の先端を連結した連結部２７を有し、該横杆部２６，２６の基端部２２，２２を縦に並べて柱状部７に固定する構成になっている。
【００４９】
このように構成することで、フォーク６の耐久性を向上させ、エゾシカなどの動物の脱出時や積雪時にフォーク６が変形、破損する可能性を低減させることができ、ワンウェイゲート１００の保守や管理が容易になる。
【００５０】
また、本実施形態の動物用脱出施設であるワンウェイゲート１００は、パネル部４は、敷地外と敷地側とを仕切る平板部２８と、平板部２８の左右両端に連結して支柱１，１に固定する平板固定用柱状部であるパネル固定用柱状部２９，２９と、を備え、パネル固定用柱状部２９，２９は、芯棒２，２に挿通して平板部２８を固定する構成になっている。
【００５１】
このように構成することで、ワンウェイゲート１００の製作や組立、保守、管理が容易になる。
【実施例２】
【００５２】
図８〜図９は本発明の実施例２における動物用脱出施設を示し、上記実施例１と同一部分に同一符号を付し、共通する箇所の説明を極力省略して詳述する。
【００５３】
図８は、動物用脱出施設であるワンウェイゲート２００の正面図を示したものである。本実施形態のワンウェイゲート２００は、支柱１，１’が左右に立設されるが、実施例１のワンウェイゲート１００と異なり、一方の支柱１に直線状のフォーク３５，３５・・・がフランジ部８に水平に取り付けられる。これらの直線状のフォーク３５は支柱１，１’間にわたる長さを有し、具体的には他方の支柱１’である芯棒２’に届く程度の長さを有する。また、エゾシカなどの動物への危険防止のため、フォーク３５の先端に樹脂キャップ３６を備える。フォーク３５の直径は、積雪時や動物類が敷地外に脱出する時に中折れしない程度が好ましく、具体的には直径１３ｍｍ程度である。
【００５４】
また図８に示されるように、一方の支柱１の軸となる芯棒２にフォーク状部３および３’は９つ挿通され、上の４つのフォーク状部３のフォーク３５同士の間隔が広く、下の５つのフォーク状部３’のフォーク３５同士の間隔が狭くなるように柱状部７の高さが設定されている。また平板部２８と最下部のフォーク３５の間隔は、フォーク状部３’のフォーク３５同士の間隔と併せるように、フォーク状部３およびフォーク状部３’間である、上から４本目と５目のフォーク３５の間隔はフォーク状部３のフォーク３５同士の間隔と併せるように、それぞれの柱状部７の高さが設定されている。このようにすることで、実施例１と同様に、フォーク状部３’のフォーク３５が子供のエゾシカの頭部の高さに設定され、フォーク状部３のフォーク３５が成獣のエゾシカの頭部の高さに設定される。
【００５５】
また図９に示されるように、芯棒２’にはフォークは取り付けられておらず、直線状のフォーク３５，３５・・・と接触する箇所にＬ字状の受け部３７，３７・・・が取り付けられる。受け部３７は、耐久性の向上のために金属製であることが好ましく、動物類が敷地外からフォーク３５と接触した際にフォーク３５が撓んでも受け部３７から外れない程度の大きさが好ましい。具体的には、３ｍｍ程度の厚さの金属板で形成され、受け部３７の背面部が高さおよび幅が４０ｍｍ程度、底面部が奥行きおよび幅が４０ｍｍ程度で構成されるのが好ましい。
【００５６】
芯棒２’は、耐久性の向上のため、芯棒２と同様に鋼管より形成されることが好ましく、受け部３７，３７・・・が直接取り付けられる。
【００５７】
以上のように、本実施形態のワンウェイゲート２００は、立設された左右一対の支柱１，１’を有し、敷地外と敷地側とを仕切るフェンス３００，３００の要所に設けられ、一方の支柱１は、該支柱１の長さを有する芯棒２と、芯棒２に挿通することにより回動可能に取り付けられ、敷地外から敷地側へは開放しない一方、敷地側から敷地外へ開放可能なフォーク状部３および３’と、左右一対の支柱１，１’間にわたって設置される平板部２８を有する面状部であるパネル部４と、を備え、フォーク状部３および３’は、芯棒２に回動可能に挿通する柱状部７と、該柱状部７に固定されるフォーク３５と、を備え、パネル部４は地面とフォーク状部３’の間に設置される構成となっている。
【００５８】
このように構成することでも、例えば降雪時にも下方のフォーク３５まで積雪が達する心配が少なく、また草などが下方のフォークに絡まってフォーク状部３’の回動動作を阻害する心配も少なくなるため、季節を問わず安定的にワンウェイゲート２００の動作が可能になり、動物類が敷地外へ脱出することを妨げず、また小動物の侵入口となってしまう虞がない。
【００５９】
また本実施形態のワンウェイゲート２００は、左右一対の支柱１，１’の一方の支柱１にフォーク状部３および３’を備え、フォーク３５は左右一対の支柱１，１’間にわたる長さを有し、他方の支柱１’に、フォーク３５と接触するための受け部３７を設けた構成となっている。
【００６０】
このように構成することで、一方の支柱１のフォーク状部３および３’のみが回動動作を行なうので、構造の簡素化がさらに図れ、ワンウェイゲート２００の製作や組立、保守、管理が容易になる。
【００６１】
なお、本考案は本実施例に限定されるものではなく、本考案の要旨の範囲内で種々の変形実施が可能である。例えば、実施例では平板部２８を左右の支柱１，１に固定したが、地面をコンクリートで舗装した場合は、平板部２８の該当箇所にコンクリートブロック等を設置し、地面のコンクリートと一体形成してもよい。また、実施例ではパネル部４は回動動作をしないが、実施例１において、平板部２８を中間から分割し、パネル固定用柱状部２９，２９を柱状部７と同様に芯棒２を軸に回動するように構成してもよい。また、実施例２において、芯棒２’には平板部２８を連結せず、パネル固定用柱状部２９を柱状部７と同様に芯棒２を軸に回動するように構成してもよい。
【符号の説明】
【００６２】
１，１’  支柱
２，２’  芯棒
３，３’  フォーク状部
４  パネル部
６，３５  フォーク
７  柱状部
１７  引張バネ
２２  基端部
２６  横杆部
２７  連結部
２８  平板部
２９  パネル固定用柱状部
３７  受け部
１００，２００  ワンウェイゲート
３００  フェンス
【図１】
0003204929.tif 000003
【図２】
0003204929.tif 000004
【図３】
0003204929.tif 000005
【図６】
0003204929.tif 000006
【図８】
0003204929.tif 000007
【図９】
0003204929.tif 000008
【図１０】
0003204929.tif 000009
【図１１】
0003204929.tif 000010
【図４】
0003204929.tif 000011
【図５】
0003204929.tif 000012
【図７】
0003204929.tif 000013